(57)【特許請求の範囲】
【請求項１】
透光性セラミックスにより形成され、両端に一対の電極導入孔を有する気密容器と；
気密容器の両端に固定されて気密容器に設けられた電極導入孔を気密に封止し、気密容器の内部に一対の電極を導く栓体と；
気密容器内に封入され、０．５〜５．５ｍｇ／ｃｃのＮａハロゲン化物およびＴｌハロゲン化物を含有しＮａハロゲン化物の重量をＷＮａとしてＴｌハロゲン化物の重量をＷＴｌとするときにそれらの封入比（Ｗｎａ／ＷＴｌ）が
０．５≦（ＷＮａ／ＷＴｌ）≦１．４
であり、さらに、Ｎａハロゲン化物およびＴｌハロゲン化物以外の非希土類ハロゲン化物であって、その重量をＷｘとしたときに、
０≦Ｗｘ／（ＷＮａ＋ＷＴｌ）≦０．１
の封入比で封入され、さらにまた、希土類ハロゲン化物であって、その重量をＷＲとしたときに、
０≦ＷＲ／（ＷＮａ＋ＷＴｌ）≦０．１
の封入比で封入された金属封入物および希ガスを含む放電媒体と；
気密容器内の最冷部温度を７５０〜９５０℃に維持する手段と；
を備えているセラミックス放電ランプ。
【請求項２】
請求項１記載のセラミックス放電ランプと；
一対の電極を交流電源に接続させる安定器と；
を備えることを特徴とするランプ装置。
【請求項３】
請求項２記載のランプ装置と；
少なくともセラミックス放電ランプを収納保持するケーシングと；
を備えることを特徴とする照明装置。
【発明の詳細な説明】
【０００１】
【発明の属する技術分野】
本発明は、透光性セラミックスを用いて形成された気密容器を備えるセラミックス放電ランプ、これを用いたランプ装置および照明装置に関する。
【０００２】
【従来の技術】
近年、金属ハロゲン化合物を放電媒体として気密封入する放電ランプ、例えばメタルハライドランプにおいては、気密容器であるバルブに透光性セラミックス（透光性アルミナ、ＹＡＧ等）が用いられるようになってきている。透光性セラミックスは、バルブ材料として従来から広く用いられている石英ガラスに比べ、耐熱性・耐食性が高く、かつ、結晶構造を有するためにジスプロシウム（Ｄｙ）やナトリウム（Ｎａ）等の発光金属との反応によって生ずるバルブ黒化による失透現象に伴う光束低下が生じにくいという良好な特性を備える。このため、石英ガラス製のメタルハライドランプに比べて封入媒体中の発光金属の選択幅が広い等の理由から、高い発光効率と高演色性とを実現することが可能である。
【０００３】
ここで、気密容器であるバルブに封入する放電媒体としては、Ｎａ（ナトリウム）、Ｔｌ（タリウム）、Ｉｎ（インジウム）、Ｄｙ（ジスプロシウム）等のハロゲン化物が用いられている。Ｎａハロゲン化物は赤色、Ｔｌハロゲン化物は緑色、Ｄｙハロゲン化物は青色の発光をもたらす。
【０００４】
【発明が解決しようとする課題】
演色性を向上させるには、各発光波長の相対エネルギーの値を太陽光に近似させるほど望ましい。このため、メタルハライドランプの発光色としては、Ｎａハロゲン化物によりもたらされる赤色およびＴｌハロゲン化物によりもたらされる緑色の他に、青色の発光色が必要である。そこで、従来、青色の発光をもたらすハロゲン化物として、ＤｙＩ3 （ジスプロシウムハロゲン化物）やＳｃＩ3（スカンジウムハロゲン化物）等の希土類ハロゲン化物を放電媒体に含ませている。
【０００５】
ところが、希土類ハロゲン化物は、発光によってバルブの内壁に付着し、バルブとの反応による失透現象によって光束維持率の低下をもたらすという課題がある。このため、例えば高圧ナトリウムランプに比べると光束維持率が著しく低下するため、寿命が数千時間程度と短く、これがセラミックス放電ランプのより広い普及を妨げる原因となっている。
【０００６】
本発明の目的は、発光効率や演色性を犠牲にすることなく、光束維持率を向上させることができるセラミックス放電ランプを得ることである。
【０００７】
本発明の別の目的は、上記目的を実現するセラミックス放電ランプを用いたランプ装置、照明装置を得ることである。
【０００８】
【課題を解決するための手段】
請求項１記載のセラミックス放電ランプは、透光性セラミックスにより形成され、両端に一対の電極導入孔を有する気密容器と；気密容器の両端に固定されて気密容器に設けられた電極導入孔を気密に封止し、気密容器の内部に一対の電極を導く栓体と；気密容器内に封入され、０．５〜５．５ｍｇ／ｃｃのＮａハロゲン化物およびＴｌハロゲン化物を含有しＮａハロゲン化物の重量をＷＮａとしてＴｌハロゲン化物の重量をＷＴｌとするときにそれらの封入比（Ｗｎａ／ＷＴｌ）が
０．５≦（ＷＮａ／ＷＴｌ）≦１．４
であり、さらに、Ｎａハロゲン化物およびＴｌハロゲン化物以外の非希土類ハロゲン化物であって、その重量をＷｘとしたときに、
０≦Ｗｘ／（ＷＮａ＋ＷＴｌ）≦０．１
の封入比で封入され、さらにまた、希土類ハロゲン化物であって、その重量をＷＲとしたときに、
０≦ＷＲ／（ＷＮａ＋ＷＴｌ）≦０．１
の封入比で封入された金属封入物および希ガスを含む放電媒体と；気密容器内の最冷部温度を７５０〜９５０℃に維持する手段と；を備えている。
【０００９】
ここで、「気密容器」としては、例えば透光性アルミナやＹＡＧが用いられ、その形状としては円筒形状も球形発光部を有する形状も許容する。もっとも、その材料および形状は、それらに限定されるわけではない。「栓体」としては、フリツトガラスあるいは導電性サーメット、例えば、アルミナとタングステンの粉末を混ぜて焼結したものが一例として用いられるが、これに限定されるわけではない。「電極」としては、例えば、タングステンを主成分とするコイル状電極が用いられるが、これに限定されるわけではない。「放電媒体」中の希ガスとしては、例えば、Ａｒが用いられるが、これに限定されるわけではない。
【００１０】
このような請求項１記載のセラミックス放電ランプによれば、栓体によって気密容器の内部に導入された電極に給電すると、電極間で放電破壊が生じてセラミックス放電ランプが点灯する。この際、Ｎａハロゲン化物によって赤色の発光色がもたらされ、Ｔｌハロゲン化物によって緑色の発光色がもたらされる。そして、気密容器内の最冷部温度を７５０〜９５０℃に維持する手段によって実現される最冷部温度７５０〜９５０℃の温度領域においては、発光色のブロードニング現象、つまり、隣接波長領域の発光色が得られる現象が極めて顕著に生ずる。このため、Ｎａハロゲン化物による赤色発光とＴＩハロゲン化物による緑色発光とのブロードニング現象によって青色発光が生じ、青色が補われる。よって、請求項１記載のセラミックス放電ランプにおいては、金属封入物として希土類ハロゲン化物を用いることなく青色発光が得られ、バルブとの反応による気密容器の失透現象が回避される。また、Ｎａハロゲン化物の重量ＷＮａとＴｌハロゲン化物の重量ＷＴｌとの封入比（Ｗｎａ／ＷＴｌ）が０．５≦（ＷＮａ／ＷＴｌ）≦１．４の範囲内においては、各発光波長の相対エネルギーの値が太陽光の値に近似する。このようなことから、請求項１記載のセラミックス放電ランプは、その演色性が良好である。さらに、Ｎａハロゲン化物およびＴｌハロゲン化物の量として、０．５〜５．５ｍｇ／ｃｃの範囲において良好な発光効率が得られる。以上のことから、請求項１記載のセラミックス放電ランプによれば、発光効率や演色性が犠牲にされることなく、光束維持率が向上する。
【００１３】
請求項２記載のランプ装置は、請求項１記載のセラミックス放電ランプと；一対の電極を交流電源に接続させる安定器と；を備える。
【００１４】
請求項３記載の照明装置は、請求項２記載のランプ装置と；少なくともセラミックス放電ランプを収納保持するケーシングと；を備える。
【００１５】
したがって、請求項２記載のランプ装置および請求項３記載の照明装置は、請求項１記載のセラミックス放電ランプが備える作用を奏するため、発光効率や演色性が犠牲にされることなく、光束維持率が向上する。
【００１６】
【発明の実施の形態】
本発明の実施の一形態を図面に基づいて説明する。本実施の形態は、セラミックス放電ランプ、これを発光管として用いる高圧放電ランプ、この高圧放電ランプを用いるランプ装置、およびこのランプ装置を用いるポール照明装置である。そこで、それぞれについて順に説明する。
【００１７】
〔セラミックス放電ランプ〕
セラミックス放電ランプを図１に基づいて説明する。図１はセラミックス放電ランプ全体の縦断正面図、図２は発光波長と相対エネルギーとの関係を示すグラフ、図３はＮａハロゲン化物とＴｌハロゲン化物との封入比と平均演色評価数との関係を示すグラフ、図４はＮａハロゲン化物およびＴｌハロゲン化物の封入量と発光効率との関係を示すグラフ、図５はＮａハロゲン化物およびＴｌハロゲン化物以外の非希土類ハロゲン化物とＮａハロゲン化物およびＴｌハロゲン化物との封入比と発光効率との関係を示すグラフ、図６は本実施の形態のセラミックス放電ランプと従来構成のセラミックス放電ランプと高圧ナトリウムランプとにおける点灯時間と発光効率との関係を示すグラフである。
【００１８】
セラミックス放電ランプ１は、概略的には、気密容器２に形成された栓体としてのキャピラリー部４によって気密容器２の内部に一対の電極５を導き、気密容器２の内部に図示しない放電媒体を封入する。
【００１９】
気密容器２は、透光性セラミックス、例えば、透光性アルミナやＹＡＧにより形成された円筒状部材であり、両端に開口した電極導入孔６を備える。
【００２０】
このようなキャピラリー部４は気密容器２の電極導入孔６に挿入された後、気密容器２に焼結固定されている。また、電極５は、キャピラリー部４に挿入されてフリット等により固定された棒状導電体である直径０．４ｍｍ程度のロッド７の先端部に５ターン巻きで巻かれたタングステンを主成分とする直径０．２ｍｍ程度の巻線である。このような電極５には、キャピラリー部４に挿入されてフリット等により固定されたリード線８より通電される。
【００２１】
気密容器２に封入されている放電媒体は、約１００ｔｏｒｒのＡｒ（アルゴン）等の希ガスと金属封入物とからなる。金属封入物としては、Ｎａ（ナトリウム）ハロゲン化物、Ｔｌ（タリウム）ハロゲン化物、および、ＮａおよびＴｌのハロゲン化物以外の非希土類ハロゲン化物、例えば、Ｈｇ（水銀）のハロゲン化物等が用いられている。そして、Ｎａハロゲン化物およびＴｌハロゲン化物は０．５〜５．５ｍｇ／ｃｃ含まれ、Ｎａハロゲン化物の重量をＷＮａとしてＴｌハロゲン化物の重量をＷＴｌとするときにそれらの封入比（Ｗｎａ／ＷＴｌ）が０．５≦（ＷＮａ／ＷＴｌ）≦１．４となるように設定されている。また、Ｎａハロゲン化物およびＴｌハロゲン化物以外の非希土類ハロゲン化物は、その重量をＷｘとしたときに、０≦（Ｗｘ／ＷＮａ＋ＷＴｌ）≦０．１の封入比で封入されている。
【００２２】
次いで、本実施の形態におけるセラミックス放電ランプ１においては、気密容器２の内部における最冷部温度が７５０〜９５０℃に維持される。例えば、最冷部温度は、ランプ電力１５０Ｗ時において９５０℃である。
【００２３】
このような構成において、気密容器２の内部に導入された電極５に給電すると、電極５間で放電破壊が生じてセラミックス放電ランプ１が点灯する。この際、放電媒体中の金属封入物におけるＮａハロゲン化物によって赤色の発光色がもたらされ、Ｔｌハロゲン化物により緑色の発光色がもたらされる。発光波長と相対エネルギーとの関係を示す図２のグラフにおいて、波長５３５ｎｍにはＴｌハロゲン化物の相対エネルギーである放射パワーが生じ、波長５９５ｎｍにはＮａハロゲン化物の相対エネルギーである放射パワーが生じている。そして、気密容器２内の最冷部温度が７５０〜９５０℃の温度領域においては発光色のブロードニング現象が顕著に生ずるため、本実施の形態のセラミックス放電ランプ１では、図２のグラフにも明確に現れているように、Ｎａハロゲン化物およびＴｌハロゲン化物の発光により、その隣接波長領域の放射パワーか上昇している。このため、Ｎａハロゲン化物による赤色発光とＴＩハロゲン化物による緑色発光とのブロードニング現象によって青色発光が生じ、青色が補われる。したがって、本実施の形態のセラミックス放電ランプ１においては、金属封入物として希土類ハロゲン化物を用いることなく青色発光が得られ、バルブとの反応による気密容器２の失透現象が回避される。
【００２４】
また、Ｎａハロゲン化物の重量ＷＮａとＴｌハロゲン化物の重量ＷＴｌとの封入比（Ｗｎａ／ＷＴｌ）が０．５≦（ＷＮａ／ＷＴｌ）≦１．４の範囲内においては、緑色波長（５３５ｎｍ）と赤色波長（５９５ｎｍ）との相対エネルギーである放射パワーの値が太陽光の値に近似する。このため、Ｎａハロゲン化物とＴｌハロゲン化物との封入比と平均演色評価数との関係を示す図３のグラフからも明らかなように、平均演色評価数の値が良好になり、演色性が向上する。
【００２５】
また、Ｎａハロゲン化物およびＴｌハロゲン化物の封入量は、０．５〜５．５ｍｇ／ｃｃの範囲内である。このため、Ｎａハロゲン化物およびＴｌハロゲン化物の封入量と発光効率との関係を示す図４のグラフから明らかなように、発光効率（ランプ効率）は７０ｌｍ／Ｗ以上という高い値を維持する。
【００２６】
また、本実施の形態のセラミックス放電ランプ１では、放電媒体中の金属封入物として、Ｎａハロゲン化物およびＴｌハロゲン化物以外の非希土類ハロゲン化物が封入されている。この場合、そのような非希土類ハロゲン化物は、その重量がＷｘとしたときに、０≦（Ｗｘ／ＷＮａ＋ＷＴｌ）≦０．１の封入比で封入されている。このため、Ｎａハロゲン化物およびＴｌハロゲン化物以外の非希土類ハロゲン化物とＮａハロゲン化物およびＴｌハロゲン化物との封入比と発光効率との関係を示す図５のグラフから明らかなように、発光効率（ランプ効率）は８５ｌｍ／Ｗ以上という高い値を維持する。
【００２７】
そして、本実施の形態のセラミックス放電ランプ１では、放電媒体中の金属封入物として、Ｎａハロゲン化物とＴｌハロゲン化物と微量の非希土類ハロゲン化物とを含むのみなので、セラミックス放電ランプ１（▲１▼として示す）と、従来構成のセラミックス放電ランプ（▲２▼として示す）と、高圧ナトリウムランプ（▲３▼として示す）とにおける点灯時間と発光効率との関係を示す図６のグラフより明らかなように、光束維持率が極めて高い。ここで、図６のグラフ中、従来構成のセラミックス放電ランプとしては、ＤｙＩ3 （ジスプロシウムハロゲン化物）やＳｃＩ3（スカンジウムハロゲン化物）等の希土類ハロゲン化物からなる金属封入物が放電媒体中に含まれているランプの例を示す。このような従来構成のセラミックス放電ランプでは、希土類ハロゲン化物が気密容器内壁に付着し、バルブと反応し失透現象を引き起こすため、例えば点灯時間５０００時間に至る前に発光効率が４０ｌｍ／Ｗ以下にまで低下してしまう。これに対し、高圧ナトリウムランプでは、点灯時間５０００時間経過後にも発光効率が８０ｌｍ／Ｗ以上に維持されているため、光束維持率が高いといえる。そして、本実施の形態のセラミックス放電ランプ１では、点灯時間５０００時間経過後の発光効率が１００ｌｍ／Ｗ近い値を維持し、高圧ナトリウムランプよりも光束維持率がさらに良好である。以上のことから、本実施の形態のセラミックス放電ランプ１によれば、発光効率や演色性を犠牲にすることなく、光束維持率を向上させることができる。
【００２８】
なお、本実施の形態のセラミックス放電ランプ１の変形例として、希土類ハロゲン化物であって、その重量をＷＲとしたときに、０≦（ＷＲ／ＷＮａ＋ＷＴｌ）≦０．１の封入比で封入された金属封入物を放電媒体に含ませてもよい。この場合、発光効率および光束維持率を損なうことなく演色性をより一層向上させることができる。
【００２９】
〔高圧放電ランプおよびこれを用いたランプ装置〕
高圧放電ランプおよびこれを用いたランプ装置を図７および図８に基づいて説明する。図７は高圧放電ランプの正面図、図８はランプ装置の回路図である。
【００３０】
高圧放電ランプ２１は、概略的には、外管２２の内部にセラミックス放電ランプ１を発光管として備え（以下、セラミックス放電ランプ１を発光管１という）、また、始動器２３をも外管２２の内部に備える構造のものである。そして、ランプ装置４１は、高圧放電ランプ２１と安定器４２とによって構成されている。
【００３１】
ここで、まず、回路構成について説明する。高圧放電ランプ２１が内蔵する始動器２３は、互いに近接配置されたバイメタルスイッチ２４とタングステンフィラメントからなるヒータ２５とが直列接続された回路構成となっており、交流電源４３に対して発光管１と並列に接続されている。バイメタルスイッチ２４は、常温時にはその接点を閉じていて高圧放電ランプ２１の点灯回路を閉回路とし、ある温度以上に加熱されると接点を開く構造である。ヒータ２５は、通電によって発熱する。
【００３２】
このような回路構成の下、交流電源４３より電力が供給されると、始動器２３のヒータ２５が発熱し、この発熱によってバイメタルスイッチ２４の接点が開かれる。これにより、チョークコイル構成の安定器４２のインダクタンスによって瞬間的なキック電圧が発生し、これが始動パルスとして発光管１の電極５に印加される。すると、発光管１の内部に放電破壊が生じ、発光管１が発光する。この時、この際、発光管１の外周に沿って設けられた近接導体２６が発光管１の始動を補助する。バイメタルスイッチ２４の接点が開かれると、ヒータ２５への通電が遮断されてヒータ２５の温度が低下する。これにより、バイメタルスイッチ２４の接点が再び閉じ、同様のことが繰り返される。つまり、始動パルスの発生が繰り返され、一度の始動パルスの印加によって発光管１が始動しない場合にも数回の始動パルスの印加によって発光管１が始動する。そして、発光管１が始動し点灯すると、その発熱によってバイメタルスイッチ２４の接点が開くため、始動器２３への給電が途絶え、始動パルスの発生が停止される。
【００３３】
次いで、高圧放電ランプ２１の構造について説明する。高圧放電ランプ２１は、硬質ガラスにより形成された外管２２の開口部が口金２７で封止され、その内部に発光管１とその始動器２３とが密閉保持されて形成されている。この場合、外管２２の内部は真空状態に維持されている。
【００３４】
発光管１は、口金２７内のステム２８に固定された一対のサポートワイヤ２９ａ，２９ｂに一対のバルブホルダ３０（一方のバルブホルダは図示せず）を介して保持されている。サポートワイヤ２９ａ，２９ｂ及びバルブホルダ３０は共に導体であり、サポートワイヤ２９ａは口金２７のシェル２７ａに、サポートワイヤ２９ｂは口金２７のアイレット端子２７ｂにそれぞれ独立して導通接続され、二つのバルブホルダ３０はリード線８を介して発光管１の二つの電極５（図１参照）にそれぞれ独立して導通接続されている。したがって、発光管１の電極５は、サポートワイヤ２９ａ，２９ｂ及びバルブホルダ３０を介することにより、一方の電極５が口金２７のシェル２７ａに、他方の電極５が口金２７のアイレット端子２７ｂにそれぞれ導通接続されている。
【００３５】
発光管１の下端を保持する図示しない方のバルブホルダは、サポートワイヤ２９ａに非導通状態で取り付けられた絶縁性を有する支持体３１に支持されている。支持体３１は、サポートワイヤ２９ａに支持されるとともに、支持体３１にネジ止めされた二つの金属製のネジ３２ａ，３２ｂがインシュレータ３３を介してサポートワイヤ２９ｂに固定されることによっても支持されている。そして、一方のネジ３２ｂは、金属性の接続片３４を介して一方のサポートワイヤ２９ｂに接続されている。また、サポートワイヤ２９ｂには、発光管１の長手方向に沿わせてワイヤ状の近接導体２６が取り付けられている。近接導体２６は、ニオビウムやタンタル等の耐熱性金属ワイヤによって構成されている。
【００３６】
外管２の内部に密閉保持された始動器２３、つまり、バイメタルスイッチ２４およびヒータ２５は支持体３１に支持されている。バイメタルスイッチ２４は、発光管１の発光による発熱の影響を受ける位置に配置され、発光管１の発光による熱の影響を受けて接点を開閉する。そして、このようなバイメタルスイッチ２４は、一方のサポートワイヤ２９ａにリード線３５を介して接続され、一方のネジ３２ａにリード線３６を介して接続されている。また、ヒータ２５は、そのネジ３２ａに一端を固定され、他端が他方のネジ３２ｂに固定されている。
【００３７】
したがって、高圧放電ランプ２１においては、口金２７のシェル２７ａに対してサポートワイヤ２９ａが接続され、口金２７のアイレット端子２７ｂに対してサポートワイヤ２９ｂが接続され、二つのサポートワイヤ２９ａ，２９ｂには発光管１の電極５がリード線８を介して接続されている。また、サポートワイヤ２９ａにはリード線３５を介してバイメタルスイッチ２４の一方の接点が接続され、バイメタルスイッチ２４の他方の接点はリード線３６を介してヒータ２５の一端に接続されている。そして、ヒータ２５の他端は一方のネジ３２ｂと接続片３４とを介してサポートワイヤ２９ｂに接続されている。これにより、始動器２３が発光管１に並列接続された図８に示す回路構成がなされる。
【００３８】
〔ポール照明装置〕
ポール照明装置を図９および図１０に基づいて説明する。図９はポール照明装置の側面図、図１０はランプ装置の部分を拡大して示す縦断側面図である。
【００３９】
ポール照明装置５１は、歩道５２に立設されたポール５３の上端にランプ装置４１が装着されて構成されている。ポール５３は、その上端が屈曲され、これによってランプ装置４１の照明方向（図９中、一点鎖線で示す）が歩道５２に隣接する道路５４の方向に向けられている。
【００４０】
ランプ装置４１の構造は、図１０に示すとおり、ポール５３の先端部に固定されたケーシング５５の内部に高圧放電ランプ２１と安定器４２とが取り付けられたものである。高圧放電ランプ２１は、ケーシング５５の一部に設けられたランプ収納室５６においてランプホルダ５７に保持されている。ランプ収納室５６は、下面がアクリル製の透光カバー５８により形成され、内部にリフレクタ５９を備える。リフレクタ５９は、高圧放電ランプ２１より照射された光を透光カバー５８の方向に反射するように取り付けられている。安定器４２は、ケーシング５５の一部に設けられた安定器収納室６０に収納保持されている。そして、ケーシング５５に収納された高圧放電ランプ２１及び安定器４２に対しては、ポール５３の内部に配線された図示しない給電線を介して交流電源４３（図８参照）が接続されている。
【００４１】
このような構成において、高圧放電ランプ２１が内蔵する発光管１（図１参照）が始動し点灯すると、その光は直接的にかつリフレクタ５９を反射して透光カバー５８を透過し、道路５４を照らす。
【００４２】
【発明の効果】
請求項１記載のセラミックス放電ランプは、気密容器内に封入する金属封入物としてＮａハロゲン化物およびＴｌハロゲン化物を用い、気密容器内の最冷部温度を７５０〜９５０℃に設定したので、Ｎａハロゲン化物による赤色発光およびＴｌハロゲン化物による緑色発光のブロードニング現象によって青色発光を補うことができ、これにより、青色発光を得るために金属封入物として希土類ハロゲン化物を用いた場合に生ずるバルブとの反応による気密容器の失透現象を回避して光束維持率を高めることができる。また、Ｎａハロゲン化物の重量ＷＮａおよびＴｌハロゲン化物の重量ＷＴｌの封入比を０．５≦（ＷＮａ／ＷＴｌ）≦１．４に規定したので、各発光波長の相対エネルギーの値を太陽光の値に近似させることができ、したがって、演色性を向上させることができる。また、Ｎａハロゲン化物およびＴｌハロゲン化物の量を０．５〜５．５ｍｇ／ｃｃの範囲に規定したので、発光効率を向上させることができる。以上より、請求項１記載の発明によれば、発光効率および演色性を犠牲にすることなく、光束維持率を向上させることができ、演色性および光束維持率を損なうことなく発光効率をより一層向上させることができ、発光効率および光束維持率を損なうことなく演色性をより一層向上させることができる。
【００４５】
請求項２記載のランプ装置および請求項３記載の照明装置は、請求項１記載のセラミックス放電ランプを備えるので、発光効率や演色性を犠牲にすることなく、光束維持率を向上させることができるという請求項１記載のセラミックス放電ランプの効果を奏する。
【図面の簡単な説明】
【図１】セラミックス放電ランプの実施の一形態を示す全体の縦断正面図である。
【図２】発光波長と相対エネルギーとの関係を示すグラフである。
【図３】Ｎａハロゲン化物とＴｌハロゲン化物との封入比と平均演色評価数との関係を示すグラフである。
【図４】Ｎａハロゲン化物およびＴｌハロゲン化物の封入量と発光効率との関係を示すグラフである。
【図５】Ｎａハロゲン化物およびＴｌハロゲン化物以外の非希土類ハロゲン化物とＮａハロゲン化物およびＴｌハロゲン化物との封入比と発光効率との関係を示すグラフである。
【図６】本実施の形態のセラミックス放電ランプと従来構成のセラミックス放電ランプと高圧ナトリウムランプとにおける点灯時間と発光効率との関係を示すグラフである。
【図７】セラミックス放電ランプを発光管として備える高圧放電ランプの正面図である。
【図８】高圧放電ランプとその点灯回路とを示すランプ装置の回路図である。
【図９】図８のランプ装置を用いるポール照明装置を示す側面図である。
【図１０】ランプ装置の部分を拡大して示す縦断側面図である。
【符号の説明】
１：  セラミックス放電ランプ
２：  気密容器
４：  栓体
５：  電極
６：  電極導入孔
２１：  ランプ装置
４３：  交流電源
４２：  安定器
５５：  ケーシング
【図１】
0004009008.tif 000002
【図２】
0004009008.tif 000003
【図３】
0004009008.tif 000004
【図４】
0004009008.tif 000005
【図５】
0004009008.tif 000006
【図６】
0004009008.tif 000007
【図７】
0004009008.tif 000008
【図８】
0004009008.tif 000009
【図９】
0004009008.tif 000010
【図１０】
0004009008.tif 000011